(57)【特許請求の範囲】
【請求項１】
マクロ基地局と低電力ノードとを有するヘテロジニアスネットワークにおいてセル変更する方法であり、前記マクロ基地局は、マクロセルを制御し、前記低電力ノードはスモールセルを制御し、前記スモールセルは、前記マクロセルより狭いカバレッジを有する、ユーザ装置により実行される方法であって、
前記ユーザ装置の移動状態を判定するステップであり、前記ユーザ装置の前記移動状態は、指定の時間内において前記ユーザ装置により実行された前記マクロセルにおけるセル変更の数と、前記ユーザ装置により実行された前記スモールセルにおけるセル変更の数とを示すステップと、
前記判定された移動状態に従って周波数の優先順位を判定するステップであり、前記移動状態が前記指定の時間内のセル変更数が第１の閾値を超える高速移動状態である場合、前記ヘテロジニアスネットワークで広いカバレッジを備えたセルにより使用される周波数の優先度は、小さいカバレッジを備えたセルにより使用される周波数の優先度より高く、前記移動状態が前記指定の時間内のセル変更数が第２の閾値より低い低速移動状態である場合、前記ヘテロジニアスネットワークで広いカバレッジを備えたセルにより使用される周波数の優先度は、小さいカバレッジを備えたセルにより使用される周波数の優先度より低いステップと、
前記判定された周波数の優先順位に従って周波数測定を実行するステップと、
前記判定された周波数の優先順位と前記周波数測定の結果とに従ってセル変更を実行するステップと
を有する方法。
【請求項２】
ユーザの移動状態を判定するステップは、
前記指定の時間内の前記ヘテロジニアスネットワークの各セルへの前記ユーザ装置の変更数を検出するステップと、
各セルに対応する重みと前記検出された各セルへの変更数とに従って前記指定の時間内の自セル変更数を判定するステップであり、各セルに対応する重みは、セルのサイズに正比例するステップと、
前記判定されたセル変更数に従ってユーザ装置の移動状態を判定するステップと
を有する、請求項１に記載の方法。
【請求項３】
各セルに対応する重みと前記検出された各セルへの変更数とに従って前記指定の時間内の自セル変更数を判定するステップは、
各セルに対応する重みと前記検出された各セルへの変更数と目的のセルのセル種別とに従って、前記指定の時間内の自セル変更数を判定するステップを有する、請求項２に記載の方法。
【請求項４】
セル変更の目的のセルの物理セル識別子を取得するステップと、
前記目的のセルの前記物理セル識別子に従って前記目的のセルのセル種別を判定するステップと
を更に有する、請求項３に記載の方法。
【請求項５】
ユーザ装置の移動状態を判定する前に、前記ヘテロジニアスネットワークの各セルに対応する重みを取得するステップを更に有し、
前記ヘテロジニアスネットワークの各セルに対応する重みを取得するステップは、
前記ヘテロジニアスネットワークの各セルのシステムメッセージを受信するステップであり、各セルの前記システムメッセージは、セルに対応する重みを伝達するステップ、及び前記ヘテロジニアスネットワークの各セルの前記システムメッセージに従って前記ヘテロジニアスネットワークの各セルに対応する重みを取得するステップ、又は
前記ヘテロジニアスネットワークの各セルの専用メッセージを受信するステップであり、各セルの前記専用メッセージは、セルに対応する重みを伝達するステップ、及び前記ヘテロジニアスネットワークの各セルの前記専用メッセージに従って前記ヘテロジニアスネットワークの各セルに対応する重みを取得するステップ、又は
予め格納された重み情報に従って前記ヘテロジニアスネットワークの各セルに対応する重みを取得するステップを有する、請求項２ないし４のうちいずれか１項に記載の方法。
【請求項６】
検出された移動状態に従って周波数の優先順位を判定する前に、それぞれの移動状態に対応する周波数の優先順位を取得するステップを更に有する、請求項１ないし４のうちいずれか１項に記載の方法。
【請求項７】
それぞれの移動状態に対応する周波数の優先順位を取得するステップは、
それぞれの移動状態に対応する周波数の優先順位情報を伝達するシステムメッセージを受信するステップ、及び前記システムメッセージに従ってそれぞれの移動状態に対応する周波数の優先順位を取得するステップ、又は
それぞれの移動状態に対応する周波数の優先順位情報を伝達する専用メッセージを受信するステップ、及び前記専用メッセージに従ってそれぞれの移動状態に対応する周波数の優先順位を取得するステップ、又は
予め格納された周波数の優先順位情報に従ってそれぞれの移動状態に対応する周波数の優先順位を取得するステップを有する、請求項６に記載の方法。
【請求項８】
前記判定された周波数の優先順位に従って周波数測定を実行するステップは、
前記判定された周波数の優先順位と前記判定された移動状態とに従って前記周波数測定を実行するステップを有する、請求項１、２、３、４又は７に記載の方法。
【請求項９】
前記判定された周波数の優先順位と前記判定された移動状態とに従って前記周波数測定を実行するステップは、
前記移動状態が前記指定の時間内のセル変更数が前記第１の閾値を超える前記高速移動状態であるときに、現在のサービングセルの信号強度又は信号品質が第１の境界より大きい場合、第１の指定の時間の間隔で前記ヘテロジニアスネットワークにおいて少なくとも１つの高優先度の周波数を測定するステップ、及び前記現在のサービングセルの前記信号強度又は前記信号品質が前記第１の境界より小さい場合、前記第１の指定の時間の間隔で前記ヘテロジニアスネットワークにおいて全ての周波数を測定するステップ、又は
前記移動状態が前記指定の時間内のセル変更数が前記第２の閾値より低い前記低速移動状態であるときに、現在のサービングセルの信号強度又は信号品質が第１の境界より大きい場合、第１の指定の時間の間隔で前記ヘテロジニアスネットワークにおいて少なくとも１つの高優先度の周波数を測定するステップ、第２の指定の時間内に前記少なくとも１つの高優先度の周波数のセルが見つからなかった場合、第３の指定の時間の間隔で前記少なくとも１つの高優先度の周波数を測定するステップであり、前記第３の指定の時間は前記第１の指定の時間より大きいステップ、前記少なくとも１つの高優先度の周波数の少なくとも１つのセルが見つかった後に、前記第１の指定の時間の間隔で前記少なくとも１つの高優先度の周波数を測定するステップ、及び前記現在のサービングセルの前記信号強度又は前記信号品質が前記第１の境界より小さい場合、前記第１の指定の時間の間隔で前記ヘテロジニアスネットワークにおいて全ての周波数を測定するステップ
を有する、請求項８に記載の方法。
【請求項１０】
セル変更の目的のセルのセルサイズに従って第１のスケーリング係数を判定するステップと、
前記判定された移動状態に従って第２のスケーリング係数を判定するステップと、
前記判定された第１のスケーリング係数と第２のスケーリング係数とに従ってセル変更に使用されるヒステリシスをスケーリングするステップと
を更に有し、
前記周波数の優先順位と前記周波数測定の結果とに従ってセル変更を実行するステップは、
前記周波数の優先順位と前記周波数測定の結果と前記スケーリングされたヒステリシスとに従って前記セル変更を実行するステップを有する、請求項１、２、３、４、７又は９に記載の方法。
【請求項１１】
現在のサービングセルからセル変更に使用されるヒステリシスを受信するステップであり、前記ヒステリシスは、セル変更の目的のセルのサイズに従って前記サービングセルにより取得されるステップと、
前記判定された移動状態に従ってスケーリング係数を判定するステップと、
前記判定されたスケーリング係数に従って前記受信したヒステリシスをスケーリングするステップと
を更に有し、
前記周波数の優先順位と前記周波数測定の結果とに従ってセル変更を実行するステップは、
前記周波数の優先順位と前記周波数測定の結果と前記スケーリングされたヒステリシスとに従って前記セル変更を実行するステップを有する、請求項１、２、３、４、７又は９に記載の方法。
【請求項１２】
マクロ基地局と低電力ノードとを有するヘテロジニアスネットワークにおいてセル変更する方法であり、前記マクロ基地局は、マクロセルを制御し、前記低電力ノードはスモールセルを制御し、前記スモールセルは、前記マクロセルより狭いカバレッジを有する、ユーザ装置により実行される方法であって、
指定の時間内の前記ヘテロジニアスネットワークの前記マクロセルへの前記ユーザ装置の変更数と、前記指定の時間内の前記ヘテロジニアスネットワークの前記スモールセルへの前記ユーザ装置の変更数とを検出するステップと、
前記マクロセル及び前記スモールセルの各セルに対応する重みと前記検出された前記マクロセル及び前記スモールセルの各セルへの変更数とに従って、前記指定の時間内のマクロセル変更及びスモールセル変更の総数を判定するステップであり、各セルに対応する重みは、セルのサイズに正比例するステップと、
前記判定されたセル変更の総数に従ってユーザ装置の移動状態を判定するステップと、
前記判定された移動状態に従ってセル変更を実行するステップと
を有する方法。
【請求項１３】
前記マクロセル及び前記スモールセルの各セルに対応する重みと前記検出された前記マクロセル及び前記スモールセルの各セルへの変更の数とに従って、前記指定の時間内のマクロセル変更及びスモールセル変更の総数を判定するステップは、
各セルに対応する重みと前記検出された各セルへの変更数と目的のセルのセル種別とに従って、前記指定の時間内のマクロセル変更及びスモールセル変更の総数を判定するステップを有する、請求項１２に記載の方法。
【請求項１４】
セル変更の目的のセルの物理セル識別子を取得するステップと、
前記目的のセルの前記物理セル識別子に従って前記目的のセルのセル種別を判定するステップと
を更に有する、請求項１２に記載の方法。
【請求項１５】
ユーザ装置の移動状態を判定する前に、前記ヘテロジニアスネットワークの各セルに対応する重みを取得するステップを更に有し、
前記ヘテロジニアスネットワークの各セルに対応する重みを取得するステップは、
前記ヘテロジニアスネットワークの各セルのシステムメッセージを受信するステップであり、各セルの前記システムメッセージは、セルに対応する重みを伝達するステップ、及び前記ヘテロジニアスネットワークの各セルの前記システムメッセージに従って前記ヘテロジニアスネットワークの各セルに対応する重みを取得するステップ、又は
前記ヘテロジニアスネットワークの各セルの専用メッセージを受信するステップであり、各セルの前記専用メッセージは、セルに対応する重みを伝達するステップ、及び前記ヘテロジニアスネットワークの各セルの前記専用メッセージに従って前記ヘテロジニアスネットワークの各セルに対応する重みを取得するステップ、又は
予め格納された重み情報に従って前記ヘテロジニアスネットワークの各セルに対応する重みを取得するステップを有する、請求項１２ないし１４のうちいずれか１項に記載の方法。
【請求項１６】
マクロ基地局と低電力ノードとを有するヘテロジニアスネットワークにおいてセル変更する方法であり、前記マクロ基地局は、マクロセルを制御し、前記低電力ノードはスモールセルを制御し、前記スモールセルは、前記マクロセルより狭いカバレッジを有する、ユーザ装置により実行される方法であって、
前記ユーザ装置の移動状態を判定するステップであり、前記ユーザ装置の前記移動状態は、指定の時間内において前記ユーザ装置により実行された前記マクロセルにおけるセル変更の数と、前記ユーザ装置により実行された前記スモールセルにおけるセル変更の数とを示すステップと、
前記判定された移動状態とセル変更の目的のセルのサイズとに従ってセル変更に使用されるヒステリシスをスケーリングするステップと、
前記スケーリングされたヒステリシスに従ってセル変更を実行するステップと
を有する方法。
【請求項１７】
前記判定された移動状態とセル変更の目的のセルのサイズとに従ってセル変更に使用されるヒステリシスをスケーリングするステップは、
セル変更の目的のセルのサイズに従って第１のスケーリング係数を判定するステップと、
前記判定された移動状態に従って第２のスケーリング係数を判定するステップと、
前記判定された第１のスケーリング係数と第２のスケーリング係数とに従ってセル変更に使用される前記ヒステリシスをスケーリングするステップと
を有する、請求項１６に記載の方法。
【請求項１８】
前記判定された移動状態とセル変更の目的のセルのサイズとに従ってセル変更に使用されるヒステリシスをスケーリングするステップは、
現在のサービングセルからセル変更に使用されるヒステリシスを受信するステップであり、前記ヒステリシスは、セル変更の目的のセルのサイズに従って前記サービングセルにより取得されるステップと、
前記判定された移動状態に従ってスケーリング係数を判定するステップと、
前記判定されたスケーリング係数に従って前記受信したヒステリシスをスケーリングするステップと、
前記スケーリングされたヒステリシスに従って前記セル変更を実行するステップと
を有する、請求項１６に記載の方法。
【請求項１９】
前記判定された移動状態とセル変更の目的のセルのサイズとに従ってセル変更に使用されるヒステリシスをスケーリングするステップは、
現在のサービングセルにより送信された少なくとも１つのヒステリシスを受信するステップであり、各ヒステリシスはセルサイズに対応するステップと、
セル変更の目的のセルのサイズに従って前記受信したヒステリシスのうち前記目的のセルに対応するヒステリシスを判定するステップと、
前記判定された移動状態に従ってスケーリング係数を判定するステップと、
前記判定されたスケーリング係数に従って前記判定されたヒステリシスをスケーリングするステップと
を有する、請求項１６に記載の方法。
【請求項２０】
マクロ基地局と低電力ノードとを有するヘテロジニアスネットワークにおけるユーザ装置であり、前記マクロ基地局は、マクロセルを制御し、前記低電力ノードはスモールセルを制御し、前記スモールセルは、前記マクロセルより狭いカバレッジを有するユーザ装置であって、
前記ユーザ装置の移動状態を判定するように構成された第１の判定ユニットであり、前記ユーザ装置の前記移動状態は、指定の時間内において前記ユーザ装置により実行された前記マクロセルにおけるセル変更の数と、前記ユーザ装置により実行された前記スモールセルにおけるセル変更の数とを示す第１の判定ユニットと、
前記第１の判定ユニットにより判定された前記移動状態に従って周波数の優先順位を判定するように構成された第２の判定ユニットであり、前記移動状態が前記指定の時間内のセル変更数が第１の閾値を超える高速移動状態である場合、前記ヘテロジニアスネットワークで広いカバレッジを備えたセルにより使用される周波数の優先度は、小さいカバレッジを備えたセルにより使用される周波数の優先度より高く、前記移動状態が前記指定の時間内のセル変更数が第２の閾値より低い低速移動状態である場合、前記ヘテロジニアスネットワークで広いカバレッジを備えたセルにより使用される周波数の優先度は、小さいカバレッジを備えたセルにより使用される周波数の優先度より低い第２の判定ユニットと、
前記第２の判定ユニットにより判定された前記周波数の優先順位に従って周波数測定を実行するように構成された測定ユニットと、
前記第２の判定ユニットにより判定された前記周波数の優先順位と前記測定ユニットにより実行された前記周波数測定の結果とに従ってセル変更を実行するように構成された処理ユニットと
を有するユーザ装置。
【請求項２１】
前記第１の判定ユニットは、
前記指定の時間内の前記ヘテロジニアスネットワークの各セルへの前記ユーザ装置の変更数を検出するように構成された検出モジュールと、
各セルに対応する重みと前記検出モジュールにより検出された各セルへの変更数とに従って前記指定の時間内の前記ユーザ装置のセル変更数を判定するように構成された変更数判定モジュールであり、各セルに対応する重みは、セルのサイズに正比例する変更数判定モジュールと、
前記変更数判定モジュールにより判定されたセル変更数に従って前記ユーザ装置の前記移動状態を判定するように構成された状態判定モジュールと
を有する、請求項２０に記載のユーザ装置。
【請求項２２】
前記変更数判定モジュールは、各セルに対応する重みと前記検出モジュールにより検出された各セルへの変更数と目的のセルのセル種別とに従って、前記指定の時間内の前記ユーザ装置のセル変更数を判定するように特に構成される、請求項２１に記載のユーザ装置。
【請求項２３】
前記第１の判定ユニットは、
セル変更の目的のセルの物理セル識別子を取得するように構成された取得モジュールと、
前記目的のセルの前記物理セル識別子に従って前記目的のセルのセル種別を判定するように構成された種別判定モジュールと
を有する、請求項２２に記載のユーザ装置。
【請求項２４】
前記第１の判定ユニットが前記ユーザ装置の前記移動状態を判定する前に、前記ヘテロジニアスネットワークの各セルのシステムメッセージを受信し、ただし、各セルの前記システムメッセージは、セルに対応する重みを伝達し、前記ヘテロジニアスネットワークの各セルの前記システムメッセージに従って前記ヘテロジニアスネットワークの各セルに対応する重みを取得するように構成された取得ユニット、又は
前記第１の判定ユニットが前記ユーザ装置の前記移動状態を判定する前に、前記ヘテロジニアスネットワークの各セルの専用メッセージを受信し、ただし、各セルの前記専用メッセージは、セルに対応する重みを伝達し、前記ヘテロジニアスネットワークの各セルの前記専用メッセージに従って前記ヘテロジニアスネットワークの各セルに対応する重みを取得するように構成された取得ユニット、又は
前記第１の判定ユニットが前記ユーザ装置の前記移動状態を判定する前に、予め格納された重み情報に従って前記ヘテロジニアスネットワークの各セルに対応する重みを取得するように構成された取得ユニットを更に有する、請求項２１ないし２３のうちいずれか１項に記載のユーザ装置。
【請求項２５】
前記第２の判定ユニットが前記周波数の優先順位を判定する前に、それぞれの移動状態に対応する周波数の優先順位を取得するように構成された取得ユニットを更に有する、請求項２０ないし２３のうちいずれか１項に記載のユーザ装置。
【請求項２６】
前記取得ユニットは、
それぞれの移動状態に対応する周波数の優先順位情報を伝達するシステムメッセージを受信し、前記システムメッセージに従ってそれぞれの移動状態に対応する周波数の優先順位を取得するように、又は
それぞれの移動状態に対応する周波数の優先順位情報を伝達する専用メッセージを受信し、前記専用メッセージに従ってそれぞれの移動状態に対応する周波数の優先順位を取得するように、又は
予め格納された周波数の優先順位情報に従ってそれぞれの移動状態に対応する周波数の優先順位を取得するように特に構成される、請求項２５に記載のユーザ装置。
【請求項２７】
前記測定ユニットは、前記第２の判定ユニットにより判定された前記周波数の優先順位と前記第１の判定ユニットにより判定された前記ユーザ装置の前記移動状態とに従って前記周波数測定を実行するように特に構成される、請求項２０、２１、２２、２３又は２６に記載のユーザ装置。
【請求項２８】
前記測定ユニットは、
前記移動状態が前記指定の時間内のセル変更数が前記第１の閾値を超える前記高速移動状態であるときに、現在のサービングセルの信号強度又は信号品質が第１の境界より大きい場合、第１の指定の時間の間隔で前記ヘテロジニアスネットワークにおいて少なくとも１つの高優先度の周波数を測定し、前記現在のサービングセルの前記信号強度又は前記信号品質が前記第１の境界より小さい場合、前記第１の指定の時間の間隔で前記ヘテロジニアスネットワークにおいて全ての周波数を測定するように、又は
前記移動状態が前記指定の時間内のセル変更数が前記第２の閾値より低い前記低速移動状態であるときに、現在のサービングセルの信号強度又は信号品質が第１の境界より大きい場合、第１の指定の時間の間隔で前記ヘテロジニアスネットワークにおいて少なくとも１つの高優先度の周波数を測定し、第２の指定の時間内に前記少なくとも１つの高優先度の周波数のセルが見つからなかった場合、第３の指定の時間の間隔で前記少なくとも１つの高優先度の周波数を測定し、ただし、前記第３の指定の時間は前記第１の指定の時間より大きく、前記少なくとも１つの高優先度の周波数の少なくとも１つのセルが見つかった後に、前記第１の指定の時間の間隔で前記少なくとも１つの高優先度の周波数を測定し、前記現在のサービングセルの前記信号強度又は前記信号品質が前記第１の境界より小さい場合、前記第１の指定の時間の間隔で前記ヘテロジニアスネットワークにおいて全ての周波数を測定するように特に構成される、請求項２７に記載のユーザ装置。
【請求項２９】
前記処理ユニットは、
セル変更の目的のセルのセルサイズに従って第１のスケーリング係数を判定するように構成された第１の判定モジュールと、
前記判定された移動状態に従って第２のスケーリング係数を判定するように構成された第２の判定モジュールと、
前記判定された第１のスケーリング係数と第２のスケーリング係数とに従ってセル変更に使用されるヒステリシスをスケーリングするように構成されたスケーリングモジュールと、
前記周波数の優先順位と前記周波数測定の結果と前記スケーリングされたヒステリシスとに従って前記セル変更を実行するように構成された処理モジュールと
を有する、請求項２０、２１、２２、２３、２６又は２８に記載のユーザ装置。
【請求項３０】
前記処理ユニットは、
現在のサービングセルからセル変更に使用されるヒステリシスを受信するように構成された受信モジュールであり、前記ヒステリシスは、セル変更の目的のセルのサイズに従って前記サービングセルにより取得される受信モジュールと、
前記判定された移動状態に従ってスケーリング係数を判定するように構成された判定モジュールと、
前記判定されたスケーリング係数に従って前記受信したヒステリシスをスケーリングするように構成されたスケーリングモジュールと、
前記周波数の優先順位と前記周波数測定の結果と前記スケーリングされたヒステリシスとに従って前記セル変更を実行するように構成された処理モジュールと
を有する、請求項２０、２１、２２、２３、２６又は２８に記載のユーザ装置。
【請求項３１】
マクロ基地局と低電力ノードとを有するヘテロジニアスネットワークにおけるユーザ装置であり、前記マクロ基地局は、マクロセルを制御し、前記低電力ノードはスモールセルを制御し、前記スモールセルは、前記マクロセルより狭いカバレッジを有するユーザ装置であって、
指定の時間内の前記ヘテロジニアスネットワークの前記マクロセルへのユーザ装置の変更数と、前記指定の時間内の前記ヘテロジニアスネットワークの前記スモールセルへの前記ユーザ装置の変更数とを検出するように構成された検出ユニットと、
前記マクロセル及び前記スモールセルの各セルに対応する重みと前記検出ユニットにより検出された前記マクロセル及び前記スモールセルの各セルへの変更数とに従って、前記指定の時間内の前記ユーザ装置のセル変更の総数を判定するように構成された第１の判定ユニットであり、各セルに対応する重みは、セルのサイズに正比例する第１の判定ユニットと、
前記判定されたセル変更の総数に従ってユーザ装置の移動状態を判定するように構成された第２の判定ユニットと、
前記判定された移動状態に従ってセル変更を実行するように構成された処理ユニットと
を有するユーザ装置。
【請求項３２】
前記第１の判定ユニットは、
各セルに対応する重みと前記検出された各セルへの変更数と目的のセルのセル種別とに従って、前記指定の時間内の前記ユーザ装置のセル変更の総数を判定するように特に構成される、請求項３１に記載のユーザ装置。
【請求項３３】
前記第１の判定ユニットは、
セル変更の目的のセルの物理セル識別子を取得するように構成された取得モジュールと、
前記目的のセルの前記物理セル識別子に従って前記目的のセルのセル種別を判定するように構成された種別判定モジュールと、
各セルに対応する重みと前記検出ユニットにより検出された各セルへの変更数と前記種別判定モジュールにより判定された前記目的のセルのセル種別とに従って、前記指定の時間内の前記ユーザ装置のセル変更数を判定するように構成された変更数判定モジュールと
を有する、請求項３２に記載のユーザ装置。
【請求項３４】
前記ヘテロジニアスネットワークの各セルのシステムメッセージを受信するように構成された取得ユニットであり、各セルの前記システムメッセージは、セルに対応する重みを伝達し、前記ヘテロジニアスネットワークの各セルの前記システムメッセージに従って前記ヘテロジニアスネットワークの各セルに対応する重みを取得するように構成された取得ユニット、又は
前記ヘテロジニアスネットワークの各セルの専用メッセージを受信するように構成された取得ユニットであり、各セルの前記専用メッセージは、セルに対応する重みを伝達し、前記ヘテロジニアスネットワークの各セルの前記専用メッセージに従って前記ヘテロジニアスネットワークの各セルに対応する重みを取得するように構成された取得ユニット、又は
予め格納された重み情報に従って前記ヘテロジニアスネットワークの各セルに対応する重みを取得するように構成された取得ユニットを有する、請求項３１ないし３３のうちいずれか１項に記載のユーザ装置。
【請求項３５】
マクロ基地局と低電力ノードとを有するヘテロジニアスネットワークにおけるユーザ装置であり、前記マクロ基地局は、マクロセルを制御し、前記低電力ノードはスモールセルを制御し、前記スモールセルは、前記マクロセルより狭いカバレッジを有するユーザ装置であって、
前記ユーザ装置の移動状態を判定するように構成された判定ユニットであり、前記ユーザ装置の前記移動状態は、指定の時間内において前記ユーザ装置により実行された前記マクロセルにおけるセル変更の数と、前記ユーザ装置により実行された前記スモールセルにおけるセル変更の数とを示す判定ユニットと、
前記判定ユニットにより判定された移動状態とセル変更の目的のセルのサイズとに従ってセル変更に使用されるヒステリシスをスケーリングするように構成されたスケーリングユニットと、
前記スケーリングユニットによりスケーリングされた前記ヒステリシスに従ってセル変更を実行するように構成された処理ユニットと
を有するユーザ装置。
【請求項３６】
前記スケーリングユニットは、
セル変更の目的のセルのサイズに従って第１のスケーリング係数を判定するように構成された第１の判定モジュールと、
前記判定ユニットにより判定された移動状態に従って第２のスケーリング係数を判定するように構成された第２の判定モジュールと、
前記第１の判定モジュールにより判定された前記第１のスケーリング係数と前記第２の判定モジュールにより判定された前記第２のスケーリング係数とに従ってセル変更に使用される前記ヒステリシスをスケーリングするように構成されたスケーリングモジュールと
を有する、請求項３５に記載のユーザ装置。
【請求項３７】
前記スケーリングユニットは、
現在のサービングセルからセル変更に使用されるヒステリシスを受信するように構成された受信モジュールであり、前記ヒステリシスは、セル変更の目的のセルのサイズに従って前記サービングセルにより取得される受信モジュールと、
前記判定ユニットにより判定された前記移動状態に従ってスケーリング係数を判定するように構成された判定モジュールと、
前記判定されたスケーリング係数に従って前記受信モジュールにより受信された前記ヒステリシスをスケーリングするように構成されたスケーリングモジュールと、
を有する、請求項３５に記載のユーザ装置。
【請求項３８】
前記スケーリングユニットは、
現在のサービングセルにより送信された少なくとも１つのヒステリシスを受信するように構成された受信モジュールであり、各ヒステリシスはセルサイズに対応する受信モジュールと、
セル変更の目的のセルのサイズに従って前記受信モジュールにより受信された前記ヒステリシスのうち前記目的のセルに対応するヒステリシスを判定するように構成された第１の判定モジュールと、
前記判定ユニットにより判定された前記移動状態に従ってスケーリング係数を判定するように構成された第２の判定モジュールと、
前記第２の判定モジュールにより判定された前記スケーリング係数に従って前記第１の判定モジュールにより判定された前記ヒステリシスをスケーリングするように構成されたスケーリングモジュールと
を有する、請求項３５に記載のユーザ装置。
【発明の詳細な説明】
【技術分野】
【０００１】
本発明の実施例は、通信技術に関し、特にヘテロジニアスネットワークにおいてセル変更する方法及び装置に関する。
【背景技術】
【０００２】
通信技術の進展により、新たな形式のネットワーク配置、すなわち、ヘテロジニアスネットワーク（HetNet：Heterogeneous  Network）が次第に無線ネットワークに導入されている。ヘテロジニアスネットワークでは、マクロ基地局と低電力ノードとが共存することができる。マクロ基地局のセルは、広いカバレッジを有しており、マクロセルと呼ばれることがある。低電力ノードのセルは、マクロセルより狭いカバレッジを有しており、スモールセル（small  cell）と呼ばれることがある。マクロセルは、ユーザにとってシームレスなカバレッジを提供し、スモールセルは、ネットワークシステムの容量を増加させる。実際のネットワークでは、マクロセル及びスモールセルは、同じ周波数又は異なる周波数を使用してもよい。マクロセル及びスモールセルが異なる周波数を使用するヘテロジニアスネットワークは、マルチ周波数ヘテロジニアスネットワークと呼ばれ、マクロセル及びスモールセルが同じ周波数を使用するヘテロジニアスネットワークは、同一周波数ヘテロジニアスネットワークと呼ばれる。
【０００３】
ユーザ装置（UE：User  Equipment）がマルチ周波数ヘテロジニアスネットワークを移動する場合、ユーザ装置のセルは変化する。アイドルのユーザ装置が在圏（camp）するセルの変更は、セル再選択と呼ばれ、接続されたユーザ装置のサービングセルの変更は、ハンドオーバと呼ばれる。
【発明の概要】
【発明が解決しようとする課題】
【０００４】
従来技術では、アイドルのユーザ装置がネットワークを移動することを仮定すると、セル再選択は以下のようになる。全てのセルは、異なるユーザ装置について同じ周波数の優先順位を設定し、ネットワークの全てのユーザ装置は、高い優先度の周波数を優先して測定して再選択する。しかし、従来技術のこのセル再選択方法では、マクロセルの周波数の優先度がスモールセルの周波数の優先度より高く設定されている場合、ネットワークの全てのユーザ装置は、マクロセルを優先して再選択する。これは、マクロセルの過負荷を生じる可能性が非常に高い。スモールセルの周波数の優先度がマクロセルの周波数の優先度より高く設定されている場合、ネットワークの全てのユーザ装置は、スモールセルを優先して再選択する。これは、マクロセルの負荷をかなり軽減する。しかし、スモールセルのカバレッジは小さいため、スモールセルを再選択する移動中のユーザ装置は、スモールセルのカバレッジを容易に離れ、他のスモールセルのカバレッジに入る或いはマクロセルのカバレッジに戻る。この場合、ユーザは、再びセル再選択を実行しなければならない。頻繁なセル再選択は、ユーザ装置の多くのバッテリエネルギーを消費する。更に、ネットワークの全てのスモールセルは、シームレスなカバレッジを提供できないため、いくつかの比較的静止しているユーザ装置は、長期間にスモールセルの間のギャップ内に留まる可能性がある。ここで、ギャップはマクロセルのカバレッジ内にある。ユーザ装置が常に優先してスモールセルを測定する場合、ユーザ装置は、非常に長期間にスモールセルを測定しないことになり、これらの測定は、ユーザ装置の多くのバッテリエネルギーを浪費する。
【０００５】
本発明の実施例の主な目的は、ユーザ装置の電力消費を効率的に低減することができる、ヘテロジニアスネットワークにおいてセル変更する方法及び装置を提供することである。
【課題を解決するための手段】
【０００６】
この目的を実現するために、本発明の実施例は、以下の技術的対策を採用する。
【０００７】
１つの態様では、本発明の実施例は、ヘテロジニアスネットワークにおいてセル変更する方法を提供し、ユーザ装置の移動状態を判定し、判定された移動状態に従って周波数の優先順位を判定し、ただし、移動状態が指定の時間内のセル変更数が第１の閾値を超える高速移動状態である場合、ヘテロジニアスネットワークで広いカバレッジを備えたセルにより使用される周波数の優先度は、小さいカバレッジを備えたセルにより使用される周波数の優先度より高く、移動状態が指定の時間内のセル変更数が第２の閾値より低い低速移動状態である場合、ヘテロジニアスネットワークで広いカバレッジを備えたセルにより使用される周波数の優先度は、小さいカバレッジを備えたセルにより使用される周波数の優先度より低く、判定された周波数の優先順位に従って周波数測定を実行し、判定された周波数の優先順位と周波数測定の結果とに従ってセル変更を実行することを含む。
【０００８】
他の態様では、本発明の実施例は、ユーザ装置を提供し、ユーザ装置の移動状態を判定するように構成された第１の判定ユニットと、第１の判定ユニットにより判定された移動状態に従って周波数の優先順位を判定するように構成された第２の判定ユニットであり、移動状態が指定の時間内のセル変更数が第１の閾値を超える高速移動状態である場合、ヘテロジニアスネットワークで広いカバレッジを備えたセルにより使用される周波数の優先度は、小さいカバレッジを備えたセルにより使用される周波数の優先度より高く、移動状態が指定の時間内のセル変更数が第２の閾値より低い低速移動状態である場合、ヘテロジニアスネットワークで広いカバレッジを備えたセルにより使用される周波数の優先度は、小さいカバレッジを備えたセルにより使用される周波数の優先度より低い第２の判定ユニットと、第２の判定ユニットにより判定された周波数の優先順位に従って周波数測定を実行するように構成された測定ユニットと、第２の判定ユニットにより判定された周波数の優先順位と測定ユニットにより実行された周波数測定の結果とに従ってセル変更を実行するように構成された処理ユニットとを含む。
【０００９】
本発明の実施例で提供されるヘテロジニアスネットワークにおいてセル変更する方法及びユーザ装置によれば、セル変更を実行するときに、ユーザ装置は、ユーザ装置の移動状態に従って周波数の優先順位を選択する。ユーザ装置が高速移動状態にある場合、ユーザ装置は、広いカバレッジを備えたセルに優先して変更するため、ユーザ装置が頻繁に移動する場合、ユーザ装置はセルのカバレッジを容易には離れない。このことは、ヘテロジニアスネットワークにおけるセル変更数を効率的に低減し、ユーザ装置の電力消費、ネットワークのシグナリング負荷及びデータ伝送遅延を効率的に低減し、ユーザ経験を向上させる。ユーザ装置が低速移動状態にある場合、ユーザ装置は、小さいカバレッジを備えたセルに優先して変更する。このことは、広いカバレッジを備えたセルの負荷を効率的に軽減し、ヘテロジニアスネットワークの性能を効率的に向上させる。
【００１０】
他の態様では、本発明の実施例は、ヘテロジニアスネットワークにおいてセル変更する他の方法を提供し、指定の時間内のヘテロジニアスネットワークの各セルへのユーザ装置の変更数を検出し、各セルに対応する重みと検出された各セルへの変更数とに従って、指定の時間内のユーザ装置の変更数を判定し、ただし、各セルに対応する重みは、セルのサイズに正比例し、判定されたセル変更数に従ってユーザ装置の移動状態を判定し、判定された移動状態に従ってセル変更を実行することを含む。
【００１１】
他の態様では、本発明の実施例は、他のユーザ装置を提供し、指定の時間内のヘテロジニアスネットワークの各セルへのユーザ装置の変更数を検出するように構成された検出ユニットと、各セルに対応する重みと検出ユニットにより検出された各セルへの変更数とに従って、指定の時間内のユーザ装置の変更数を判定するように構成された第１の判定ユニットであり、各セルに対応する重みは、セルのサイズに正比例する第１の判定ユニットと、判定されたセル変更数に従ってユーザ装置の移動状態を判定するように構成された第２の判定ユニットと、判定された移動状態に従ってセル変更を実行するように構成された処理ユニットとを含む。
【００１２】
本発明の実施例で提供されるヘテロジニアスネットワークにおいてセル変更する方法及び装置によれば、ユーザの移動状態は、各セルに対応する重みと各セルへのユーザ装置の変更数とに従って判定されるため、ユーザ装置の移動状態を判定する際に、ユーザ装置のセル変更数と、セルのサイズとの双方が考慮される。このように、ユーザ装置の真の移動状態が正確に反映可能になり、これにより、セル変更がユーザ装置の移動状態に従って実行される場合、早いセル変更又は遅いセル変更により生じるサービス中断が効率的に回避される。
【００１３】
更に他の態様では、本発明の実施例は、ヘテロジニアスネットワークにおいてセル変更する他の方法を提供し、ユーザ装置の移動状態を判定し、判定された移動状態とセル変更の目的のセルのサイズとに従ってセル変更に使用されるヒステリシスをスケーリングし、スケーリングされたヒステリシスに従ってセル変更を実行することを含む。
【００１４】
更に他の態様では、本発明の実施例は、他のユーザ装置を提供し、ユーザ装置の移動状態を判定するように構成された判定ユニットと、判定ユニットにより判定された移動状態とセル変更の目的のセルのサイズとに従ってセル変更に使用されるヒステリシスをスケーリングするように構成されたスケーリングユニットと、スケーリングユニットによりスケーリングされたヒステリシスに従ってセル変更を実行するように構成された処理ユニットとを含む。
【００１５】
本発明の実施例で提供されるヘテロジニアスネットワークにおいてセル変更する方法及びユーザ装置によれば、セル変更に使用されるヒステリシスは、ユーザ装置の移動状態とセル変更の目的のセルのサイズとに従ってスケーリングされる。従って、スケーリングされたヒステリシスがユーザ装置の移動状態と目的のセルのサイズとに適応されることが可能になり、これにより、ユーザ装置がセル変更を実行する場合、早いセル変更又は遅いセル変更により生じるサービス中断が効率的に回避される。
【図面の簡単な説明】
【００１６】
【図１】本発明の実施例に従ってヘテロジニアスネットワークにおいてセル変更する方法のフローチャート
【図２】本発明の実施例によるマルチ周波数ヘテロジニアスネットワークの概略図
【図３】本発明の実施例に従ってヘテロジニアスネットワークにおいてセル変更する方法のフローチャート
【図４】本発明の実施例に従ってヘテロジニアスネットワークにおいてセル変更する方法のフローチャート
【図５】本発明の実施例に従ってヘテロジニアスネットワークにおいてセル変更する方法のフローチャート
【図６】本発明の実施例に従ってヘテロジニアスネットワークにおいてセル変更する方法のフローチャート
【図７】本発明の実施例によるユーザ装置の構成ブロック図
【図８】本発明の実施例によるユーザ装置の第１の判定ユニットの構成ブロック図
【図９】本発明の実施例によるユーザ装置の第１の判定ユニットの構成ブロック図
【図１０】本発明の実施例によるユーザ装置の構成ブロック図
【図１１】本発明の実施例によるユーザ装置の処理ユニットの構成ブロック図
【図１２】本発明の実施例によるユーザ装置の処理ユニットの構成ブロック図
【図１３】本発明の実施例によるユーザ装置の構成ブロック図
【図１４】本発明の実施例によるユーザ装置の第１の判定ユニットの構成ブロック図
【図１５】本発明の実施例によるユーザ装置の構成ブロック図
【図１６】本発明の実施例によるユーザ装置の構成ブロック図
【図１７】本発明の実施例によるユーザ装置のスケーリングユニットの構成ブロック図
【図１８】本発明の実施例によるユーザ装置のスケーリングユニットの構成ブロック図
【図１９】本発明の実施例によるユーザ装置のスケーリングユニットの構成ブロック図
【発明を実施するための形態】
【００１７】
本発明の実施例又は従来技術の技術的対策を明確に示すために、以下では、実施例又は従来技術を説明するために必要な添付図面について簡単に紹介する。明らかに、以下の説明における添付図面は、本発明の単なるいくつかの実施例を示しているに過ぎず、当業者は、創造的取り組みを行うことなく、添付図面から他の図面を依然として導くことができる。
【００１８】
以下に、本発明の実施例の添付図面を参照して、本発明の実施例の技術的対策を明確且つ完全に説明する。
【００１９】
明らかに、以下の説明の実施例は、本発明の実施例の全てではなく、単なる一部である。創造的取り組みを行うことなく本発明の実施例に基づいて当業者により得られる全ての他の実施例は、本発明の保護範囲内に入るものとする。
【００２０】
本発明の実施例は、好ましくはマルチ周波数ヘテロジニアスネットワークに適用可能であり、明らかに同一周波数ヘテロジニアスネットワークにも適用可能である。これは本発明で限定されない。以下の実施例では、マルチ周波数ヘテロジニアスネットワークが説明のための一例として挙げられる。
【００２１】
更に、本発明の実施例のセル変更は、ユーザ装置により実行されるセルハンドオーバ又はセル再選択を示す。
【００２２】
図１に示すように、本発明の実施例は、ヘテロジニアスネットワークにおいてセル変更する方法を提供する。ユーザ装置に基づいて、この方法は以下のステップを含む。
【００２３】
101.ユーザ装置の移動状態を判定する。
【００２４】
本発明の実施例では、ヘテロジニアスネットワークにおいて複数の周波数の優先順位が設定され、それぞれの周波数の優先順位は、ユーザ装置の１つ又は複数の移動状態に対応する。セル変更を実行する前に、ユーザ装置は、まずユーザ装置の移動状態を判定するため、セル変更に使用される周波数の優先順位は、ユーザ装置の移動状態に従って判定される。ユーザ装置により使用される周波数の優先順位は、ユーザ装置の移動状態と共に変化してもよい。
【００２５】
任意選択で、ユーザ装置の移動状態を判定する基準は、以下のものでもよい。指定の時間t1内のユーザ装置のセル変更数が第１の閾値n1より大きい場合、ユーザ装置は高速移動状態に入る。指定の時間t1内のユーザ装置のセル変更数が第２の閾値n2より小さい場合、ユーザ装置は低速移動状態に入る。
【００２６】
任意選択で、ユーザ装置の移動状態を判定する基準はまた、以下のものでもよい。指定の時間t1内のユーザ装置のセル変更数が第１の閾値n1より大きい場合、ユーザ装置は高速移動状態に入る。指定の時間t1内のユーザ装置のセル変更数が第１の閾値n1より小さいが、第２の閾値n2より大きい場合、ユーザ装置は中程度移動状態に入る。ユーザ装置が指定の時間t2を通じて高速移動状態又は中程度移動状態の基準を満たさない場合、ユーザ装置は通常移動状態に入る。
【００２７】
明らかに理解できるように、ユーザ装置の移動状態を判定する基準は限定されず、ユーザ装置は、他の移動状態を含んでもよい。これは本発明では限定されない。
【００２８】
本発明の実施例では、高速移動状態は、低速移動状態と比較して名付けられている点に留意すべきである。同じ期間において、高速移動状態のユーザ装置のセル変更数は、低速移動状態のユーザ装置のセル変更数より大きい。
【００２９】
セル変更数は、指定の期間t1内にユーザ装置により実行されたセル変更の総数を示す。例えば、図２は、本発明の実施例によるマルチ周波数ヘテロジニアスネットワークの概略図である。ネットワークはマクロセルと複数のスモールセルとを含み、マクロセルにより使用される周波数はf1であり、スモールセルにより使用される周波数はf2である。時間t1内に、ユーザ装置によるマクロセルの再選択数、すなわち、ユーザ装置がマクロセルを再選択する回数はN1であり、ユーザ装置によるスモールセルの再選択数、すなわち、ユーザ装置がスモールセルを再選択する回数はN2である。この場合、t1内でのユーザ装置のセル変更数、すなわち、セル再選択の総数はN1+N2であり、ユーザ装置は、N1+N2の値に従ってユーザの移動状態を判定してもよい。
【００３０】
明らかに、ユーザの真の移動状態は、指定の時間内にユーザ装置により実行されたセル変更数に依存するだけでなく、セル変更の時間での目的のセル（ターゲットセル）のサイズにも依存する。再選択数が大きくても、ユーザ装置がt1内にスモールセルを頻繁に再選択した場合、ユーザ装置は必ずしも高速移動状態にあるとは限らない。この理由は、スモールセルのカバレッジが小さいからである。従って、このステップの移動状態を判定する際の精度を向上させるために、ステップ101の前に、本発明の実施例においてセル変更する方法は、ユーザ装置によりヘテロジニアスネットワークの各セルに対応する重みを取得することを更に含んでもよい。ただし、セルに対応する重みは、セルのサイズに正比例する。例えば、ラージセルのサイズがスモールセルのサイズの10倍である場合、ラージセルに対応する重みは1であり、スモールセルに対応する重みは0.1である。各セルに対応する重みの値は、0〜1の範囲であることが好ましい。
【００３１】
この場合、ステップ101は以下のサブステップを含んでもよい。
【００３２】
まず、指定の時間内のヘテロジニアスネットワークの各セルへのユーザ装置の変更数を検出する。
【００３３】
次に、各セルに対応する重みと検出された各セルへの変更数とに従って指定の時間内のユーザ装置のセル変更数を判定する。
【００３４】
依然として図２に示すヘテロジニアスネットワークを例に挙げて、マクロセルに対応する重みがW1であり、スモールセルに対応する重みがW2であり、時間t1内でのユーザ装置によるマクロセルの再選択数、すなわち、ユーザ装置がマクロセルを再選択する回数がN1であり、ユーザ装置によるスモールセルの再選択数、すなわち、ユーザ装置がスモールセルを再選択する回数がN2であると仮定する。この場合、t1内のセル変更数、すなわち、セル再選択の総数はN1×W1＋N2×W2である。ユーザ装置は、N1×W1＋N2×W2の値に従ってユーザ装置の移動状態を判定してもよい。
【００３５】
任意選択で、このステップにおいて、ユーザ装置は、各セルに対応する重みと検出された各セルへの変更数と目的のセルのセル種別とに従って、指定の時間内の自セル変更数を判定してもよい。ただし、目的のセルのセル種別は、セルのカバレッジにより規定される。例えば、目的のセルのセル種別は、マクロセル又はスモールセルである。
【００３６】
この場合、依然として図２に示すヘテロジニアスネットワークを例に挙げて、例えば、時間t内にマクロセルへのユーザ装置の変更数がN1であり、マクロセルに対応する重みがW1であり、スモールセルへのユーザ装置の変更数がN2であり、スモールセルに対応する重みがW2であることを仮定する。目的のセルがマクロセルである場合、時間t内のユーザ装置のセル変更数は、N1＋N2×W2／W1に等しい。目的のセルがスモールセルである場合、時間t内のユーザ装置のセル変更数は、N1×W1／W2＋N2に等しい。
【００３７】
次に、ユーザ装置の移動状態は、判定されたセル変更数に従って判定される。
【００３８】
前述のステップ101においてユーザ装置の移動状態を判定する方法で、指定の時間内のユーザ装置のセル変更数とセルのサイズとの双方が考慮される。従って、ユーザの移動状態は、より正確に反映可能になり、このステップにおいてユーザ装置により判定されたユーザ装置の移動状態の精度は効率的に改善する。
【００３９】
特に、ユーザ装置は、ヘテロジニアスネットワークにおいて各セルのシステムメッセージを受信してもよい。各セルのシステムメッセージは、セルに対応する重みを伝達する。また、ユーザ装置は、ヘテロジニアスネットワークにおいて各セルのシステムメッセージに従ってヘテロジニアスネットワークの各セルに対応する重みを取得してもよい。ユーザ装置はまた、ヘテロジニアスネットワークにおいて各セルの専用メッセージを受信してもよい。各セルの専用メッセージは、セルに対応する重みを伝達する。また、ユーザ装置は、ヘテロジニアスネットワークにおいて各セルの専用メッセージに従ってヘテロジニアスネットワークの各セルに対応する重みを取得してもよい。或いは、ユーザ装置は、ヘテロジニアスネットワークの各セルに対応する重み情報を予め格納し、予め格納された重み情報に従ってヘテロジニアスネットワークの各セルに対応する重みを取得してもよい。明らかに、ユーザ装置は、他の方法で各セルに対応する重みを取得してもよい。これは本発明では限定されない。
【００４０】
102.判定された移動状態に従って周波数の優先順位を判定する。
【００４１】
本発明の実施例では、それぞれの優先順位は、ユーザ装置の移動状態に対応する。指定の時間内のセル変更数が第１の閾値より大きい高速移動状態に対応する周波数の優先順位では、ヘテロジニアスネットワークにおいて広いカバレッジを備えたセルにより使用される周波数の優先度は、小さいカバレッジを備えたセルにより使用される周波数より高い。指定の時間内のセル変更数が第２の閾値より小さい低速移動状態に対応する周波数の優先順位では、ヘテロジニアスネットワークにおいて広いカバレッジを備えたセルにより使用される周波数の優先度は、小さいカバレッジを備えたセルにより使用される周波数より低い。
【００４２】
依然として図２に示すヘテロジニアスネットワークを例に挙げると、高速移動状態においてマクロセルにより使用される周波数f1の優先度は、スモールセルにより使用される周波数f2の優先度より高い。低速移動状態においてマクロセルにより使用される周波数f1の優先度は、スモールセルにより使用される周波数f2の優先度より低い。
【００４３】
このように、ユーザ装置が高速移動状態にある場合、ユーザ装置は、マクロセルに優先して変更するため、ユーザ装置が頻繁に移動する場合、ユーザ装置はマクロセルのカバレッジを容易には離れない。このことは、セル変更数を効率的に低減し、ユーザ装置の電力消費、ネットワークのシグナリング負荷及びデータ伝送遅延を効率的に低減し、ユーザ経験を向上させる。ユーザ装置が低速移動状態にある場合、ユーザ装置は、スモールセルに優先して変更する。このことは、広いカバレッジを備えたセルの負荷を効率的に軽減し、ヘテロジニアスネットワークの性能を効率的に向上させる。
【００４４】
明らかに、このステップの前に、ユーザ装置は、ユーザ装置のそれぞれの移動状態に対応する周波数の優先順位を取得する必要がある。特に、ユーザ装置は、ヘテロジニアスネットワークの各セルにより配信されたシステムメッセージを受信してもよい。システムメッセージは、それぞれの移動状態に対応する周波数の優先順位を伝達する。ユーザ装置は、システムメッセージに従ってそれぞれの移動状態に対応する周波数の優先順位を取得してもよい。ユーザ装置はまた、ヘテロジニアスネットワークの各セルにより配信された専用メッセージを受信してもよい。専用メッセージは、それぞれの移動状態に対応する周波数の優先順位を伝達する。ユーザ装置は、専用メッセージに従ってそれぞれの移動状態に対応する周波数の優先順位を取得してもよい。更に、ユーザ装置は、それぞれの移動状態に対応する周波数の優先順位情報を予め格納してもよい。ユーザ装置は、予め格納された周波数の優先順位情報に従ってそれぞれの移動状態に対応する周波数の優先順位を取得してもよい。明らかに、ユーザ装置はまた、他の方法でユーザ装置のそれぞれの移動状態に対応する周波数の優先順位を取得してもよい。これは本発明では限定されない。
【００４５】
103.判定された周波数の優先順位に従って周波数測定を実行する。
【００４６】
任意選択で、ユーザ装置は、以下の方法で周波数測定を実行してもよい。現在のサービングセルの信号強度又は信号品質が第１の境界より大きい場合、第１の指定の時間の間隔でヘテロジニアスネットワークにおいて少なくとも１つの高優先度の周波数を測定する。現在のサービングセルの信号強度又は信号品質が第１の境界より小さい場合、第１の指定の時間の間隔でヘテロジニアスネットワークにおいて全ての周波数を測定する。
【００４７】
ユーザ装置が静止状態のように低速移動状態にある場合、ユーザ装置は、長期間にスモールセルの間のギャップ内に留まる可能性がある。ユーザ装置が常に優先してスモールセルを測定する場合、ユーザ装置は、非常に長期間にスモールセルを測定しないことになり、これらの測定はユーザ装置の多くのバッテリエネルギーを浪費する。
【００４８】
従って、このステップにおいて、好ましくは、ユーザ装置は、ステップ102で判定された周波数の優先順位と、ステップ101で判定された自分の移動状態とに従って周波数測定を実行してもよい。
【００４９】
任意選択で、ユーザ装置の移動状態が指定の時間内のセル変更数が第１の閾値を超える高速移動状態である場合、周波数測定は前述の方法で実行されてもよい。すなわち、現在のサービングセルの信号強度又は信号品質が第１の境界より大きい場合、第１の指定の時間の間隔でヘテロジニアスネットワークにおいて少なくとも１つの高優先度の周波数を測定する。現在のサービングセルの信号強度又は信号品質が第１の境界より小さい場合、第１の指定の時間の間隔でヘテロジニアスネットワークにおいて全ての周波数を測定する。
【００５０】
任意選択で、ユーザ装置の移動状態が指定の時間内のセル変更数が第２の閾値より小さい低速移動状態である場合、ユーザ装置は、以下の方法で周波数測定を実行してもよい。現在のサービングセルの信号強度又は信号品質が第１の境界より大きい場合、第１の指定の時間の間隔でヘテロジニアスネットワークにおいて少なくとも１つの高優先度の周波数を測定する。第２の指定の時間内に少なくとも１つの高優先度の周波数のセルが見つからなかった場合、第３の指定の時間の間隔で少なくとも１つの高優先度の周波数を測定する。少なくとも１つの高優先度の周波数の少なくとも１つのセルが見つかった後に、第１の指定の時間の間隔で少なくとも１つの高優先度の周波数を測定する。ただし、第２の指定の時間は第１の指定の時間以上であり、第３の指定の時間は第１の指定の時間より大きく、例えば、第３の指定の時間は第１の指定の時間の４倍である。
【００５１】
第２の指定の時間内にセルが見つからなかった場合、これは、ユーザ装置がこの時間にスモールセルの間のギャップ内に留まる可能性があることを示している。場合によっては、ユーザが第１の指定の時間の間隔で継続して周波数測定を実行したとしても、セルが見つからないことになる。この場合、測定時間間隔は、第１の指定の時間から第３の指定の時間に増加する。セルが検出される可能性がある場合、測定時間間隔は第１の指定の時間になる。このことは、ユーザ装置により実行される周波数測定の数を効率的に低減し、周波数測定の効率をかなり改善し、ユーザ装置のバッテリエネルギーを効率的に節約する。
【００５２】
104.周波数の優先順位と周波数測定の結果とに従ってセル変更を実行する。
【００５３】
特にこのステップでは、セル変更を実行する場合、ユーザ装置は、ユーザ装置の移動状態に従ってユーザ装置の現在の移動状態に対応するスケーリング係数（倍率）を選択し、セル再選択又はハンドオーバに使用される関係するヒステリシスをスケーリング（拡大縮小）する。これにより、ユーザ装置のセル再選択速度又はハンドオーバ速度がその移動速度と一致する。ユーザ装置は、周波数の優先順位と周波数測定の結果とスケーリングされた関係するヒステリシスとに従ってセル変更を実行する。関係するヒステリシスは、TimeToTrigger、Qhyst、TreselectionEUTRA、TreselectionRAT等を含む。
【００５４】
セルサイズに拘わらず同じヒステリシスが使用される場合、以下の問題が生じる可能性がある。ラージセルに適したヒステリシスは、スモールセルにとって大きすぎる可能性があり、このことは、遅い再選択又はハンドオーバを生じ、更にサービス中断をもたらす。スモールセルに適したヒステリシスは、ラージセルにとって小さすぎる可能性があり、このことは、早い再選択又はハンドオーバを生じ、更に行ったり来たりの再選択又はハンドオーバをもたらす。
【００５５】
ヘテロジニアスネットワークにおいてユーザ装置の早いセル変更又は遅いセル変更の問題を効率的に回避するために、本発明の実施例では、任意選択で、ヘテロジニアスネットワークにおけるユーザ装置は、それぞれヒステリシスをスケーリングするために２組のスケーリング係数を使用してもよい。２組のスケーリング係数は、それぞれ目的のセル及びユーザ装置の移動状態に対応する。例えば、
第１の組のスケーリング係数：マクロセル--sf3、スモールセル--sf4等
第２の組のスケーリング係数：高速移動状態--sf1、中程度移動状態--sf2等
２組のスケーリング係数は、システムメッセージ又は専用メッセージを通じてネットワークによりユーザ装置に送信されてもよく、ユーザ装置により予め格納されてもよい。
【００５６】
この場合、このステップにおいて、ユーザ装置は、セル変更の目的のセルのセルサイズに従って第１の組のスケーリング係数の中から第１のスケーリング係数を判定し、判定された移動状態に従って第２の組のスケーリング係数の中から第２のスケーリング係数を判定する。次に、判定された第１のスケーリング係数及び第２のスケーリング係数に従って、セル変更に使用されるヒステリシスをスケーリングする。次に、周波数の優先順位と周波数測定の結果とスケーリングされたヒステリシスとに従ってセル変更を実行する。
【００５７】
例えば、ユーザ装置の現在の移動状態が高速移動状態であり、目的のセルがマクロセルである場合、スケーリングされたヒステリシス=元のヒステリシス×sf1×sf3である。
【００５８】
このように、セルサイズの問題とユーザ装置の移動状態との双方が考慮されるため、スケーリングされたヒステリシスは更に正確になり、このことは、ヘテロジニアスネットワークにおけるユーザ装置の早いセル変更又は遅いセル変更の問題を効率的に回避する。
【００５９】
ヘテロジニアスネットワークにおけるユーザ装置の早いセル変更又は遅いセル変更の問題を効率的に回避するために、本発明の他の実施例では、ユーザ装置の現在のサービングセルは、ユーザ装置の次の再選択又はハンドオーバについて可能な目的のセルのサイズを判定し、可能な目的のセルのサイズに従ってそれぞれの目的のセルに特有のヒステリシスを判定し、ヒステリシスをユーザ装置に送信する。ユーザ装置は、現在のサービングセルにより送信されてセル変更に使用されるヒステリシスを受信し、ユーザ装置の移動状態に従ってスケーリング係数を判定し、判定されたスケーリング係数に従って受信したヒステリシスをスケーリングする。次に、周波数の優先順位と周波数測定の結果とスケーリングされたヒステリシスとに従って、セル再選択又はハンドオーバを実行する、すなわち、セル変更を実行する。
【００６０】
同様に、このようにして、セルサイズの問題とユーザ装置の移動状態との双方が考慮されるため、スケーリングされたヒステリシスは更に正確になり、このことは、ヘテロジニアスネットワークにおけるユーザ装置の早いセル変更又は遅いセル変更の問題を効率的に回避する。
【００６１】
ヘテロジニアスネットワークにおけるユーザ装置の早いセル変更又は遅いセル変更の問題を効率的に回避するために、本発明の他の実施例では、ユーザ装置の現在のサービングセルは、システムメッセージで複数のヒステリシスをブロードキャストする。ここで、それぞれのヒステリシスはセルサイズに対応する。ユーザ装置は、現在のサービングセルによりブロードキャストされた複数のヒステリシスを受信する。ユーザ装置は、次の再選択又はハンドオーバについて可能な目的のセルのサイズを判定し、可能な目的のセルのサイズに従って受信した複数のヒステリシスの中から可能な目的のセルに対応するヒステリシスを判定する。ユーザ装置は、判定された移動状態に従ってスケーリング係数を判定する。スケーリング係数の判定及び目的のセルのヒステリシスの判定は、いずれか特定の順序に限定されず、同時に又は連続して実行されてもよい。次に、ユーザ装置は、判定されたスケーリング係数に従って判定されたヒステリシスをスケーリングする。
【００６２】
同様に、このようにして、目的のセルのサイズとユーザ装置の移動状態との双方が考慮されるため、スケーリングされたヒステリシスは更に正確になり、このことは、ヘテロジニアスネットワークにおけるユーザ装置の早いセル変更又は遅いセル変更の問題を効率的に回避する。
【００６３】
本発明の実施例で提供されるヘテロジニアスネットワークにおいてセル変更する方法によれば、セル変更を実行するときに、ユーザ装置は、ユーザ装置の移動状態に従って周波数の優先順位を選択する。ユーザ装置が高速移動状態にある場合、ユーザ装置は、広いカバレッジを備えたセルに優先して変更するため、ユーザ装置が頻繁に移動する場合、ユーザ装置はセルのカバレッジを容易には離れない。このことは、ヘテロジニアスネットワークにおけるセル変更数を効率的に低減し、ユーザ装置の電力消費、ネットワークのシグナリング負荷及びデータ伝送遅延を効率的に低減し、ユーザ経験を向上させる。ユーザ装置が低速移動状態にある場合、ユーザ装置は、小さいカバレッジを備えたセルに優先して変更する。このことは、広いカバレッジを備えたセルの負荷を効率的に軽減し、ヘテロジニアスネットワークの性能を効率的に向上させる。一方、周波数測定の数は、効率的に低減可能になり、周波数測定の効率が改善される。このことは、ユーザ装置の電力消費を更に低減し、ヘテロジニアスネットワークにおけるユーザ装置の早いセル変更又は遅いセル変更の問題を効果的に回避する。
【００６４】
図３は、本発明の実施例に従ってヘテロジニアスネットワークにおいてセル変更する方法の特定の実施例である。この実施例は以下のステップを含む。
【００６５】
201.ユーザ装置は、ヘテロジニアスネットワークにおいて各セルに対応する重みを取得する。ただし、各セルに対応する重みはセルのサイズに正比例する。
【００６６】
202.任意選択で、ユーザ装置は、セル変更の目的のセルの物理セル識別子（PCI：Physical  Cell  Identity又はPhysical  Cell  Identifier）を取得し、目的のセルのPCIに従って目的のセルのセル種別を判定する。
【００６７】
このステップの前に、ユーザ装置は、セル種別と物理セル識別子との間のマッピング関係を取得する必要がある。この実施例では、任意選択で、各セルは、システムメッセージで１つ以上のPCI間隔をブロードキャストする。各PCI間隔はセル種別に対応し、セル種別はセルのサイズを示す。例えば、スモールセルのPCI間隔は[PCI1,PCI2]であり、マクロセルのPCI間隔は[PCI3,PCI4]である。システムメッセージを通じて、ユーザ装置は、PCI間隔と、PCI間隔に対応するセル種別を取得してもよい。すなわち、セル種別と物理セル識別子との間のマッピング関係を取得することにより、マッピング関係による目的のセルのセル種別と目的のセルのPCIとを判定してもよい。例えば、目的のセルのPCIがスモールセルのPCI間隔にある場合、目的のセルはスモールセルであり、目的のセルのPCIがマクロセルのPCI間隔にある場合、目的のセルはマクロセルである。
【００６８】
明らかに、各セルは、専用メッセージを通じて、PCI間隔と、PCI間隔に対応するセル種別とをユーザ装置に送信してもよい。また、PCI間隔とPCI間隔に対応するセル種別とは、ユーザ装置に予め設定されてもよい。これはこの実施例では限定されない。
【００６９】
203.ユーザ装置は、指定の時間内のヘテロジニアスネットワークの各セルへのUEの変更数を検出する。
【００７０】
ステップ203、202及び201はいずれか特定の順序に限定されず、同時に又は連続して実行されてもよい点に留意すべきである。
【００７１】
204.ユーザ装置は、各セルに対応する重みと検出された各種のセルへの変更数と目的のセルのセル種別とに従って、指定の時間内のユーザ装置のセル変更数を判定する。
【００７２】
例えば、時間t内にマクロセルへのユーザ装置の変更数がN1であり、マクロセルに対応する重みがW1であり、スモールセルへのユーザ装置の変更数がN2であり、スモールセルに対応する重みがW2であることを仮定する。目的のセルがマクロセルである場合、時間t内のユーザ装置のセル変更数は、N1＋N2×W2／W1に等しい。目的のセルがスモールセルである場合、時間t内のユーザ装置のセル変更数は、N1×W1／W2＋N2に等しい。
【００７３】
205.ユーザ装置は、判定されたセル変更数に従ってユーザ装置の移動状態を判定する。
【００７４】
206.ユーザ装置は、判定された移動状態に従って周波数の優先順位を判定する。
【００７５】
特に、ユーザ装置が高速移動状態にある場合、マクロセルにより使用される周波数の優先度は、スモールセルにより使用される周波数の優先度より高い。そうでない場合、マクロセルにより使用される周波数の優先度は、スモールセルにより使用される周波数の優先度より低い。
【００７６】
207.ユーザ装置は、判定された周波数の優先順位に従って周波数測定を実行する。
【００７７】
208.ユーザ装置は、ユーザ装置の現在の移動状態に対応するスケーリング係数を選択し、セル再選択又はハンドオーバで使用されるヒステリシスをスケーリングする。
【００７８】
209.ユーザ装置は、周波数の優先順位と周波数測定の結果とスケーリングされたヒステリシスとに従ってセル変更を実行する。
【００７９】
図４に示すように、本発明の実施例は、ヘテロジニアスネットワークにおいてセル変更する他の方法を提供する。ユーザ装置に基づいて、この方法は以下のステップを含む。
【００８０】
301.指定の時間内のヘテロジニアスネットワークの各セルへのユーザ装置の変更数を検出する。
【００８１】
指定の時間内のヘテロジニアスネットワークの各セルへのユーザ装置の変更数は、ユーザ装置が指定の時間内にセルに変更する回数である。
【００８２】
302.各セルに対応する重みと検出された各セルへの変更数とに従って、指定の時間内のユーザ装置のセル変更数を判定する。
【００８３】
各セルに対応する重みは、セルのサイズに正比例する。例えば、ラージセルのサイズがスモールセルのサイズの10倍である場合、ラージセルに対応する重みは1であり、スモールセルに対応する重みは0.1である。各セルに対応する重みの値は、0〜1の範囲であることが好ましい。
【００８４】
図２に示すヘテロジニアスネットワークを例に挙げて、マクロセルに対応する重みがW1であり、スモールセルに対応する重みがW2であり、時間t1内でのユーザ装置によるマクロセルの再選択数、すなわち、ユーザ装置がマクロセルを再選択する回数がN1であり、ユーザ装置によるスモールセルの再選択数、すなわち、ユーザ装置がスモールセルを再選択する回数がN2であると仮定する。この場合、t1内のセル変更数、すなわち、セル再選択の総数はN1×W1＋N2×W2である。ユーザ装置は、N1×W1＋N2×W2の値に従ってユーザ装置の移動状態を判定してもよい。
【００８５】
任意選択で、このステップにおいて、ユーザ装置は、各セルに対応する重みと検出された各セルへの変更数と目的のセルのセル種別とに従って、指定の時間内の自セル変更数を判定してもよい。ただし、目的のセルのセル種別は、セルのカバレッジにより規定される。例えば、目的のセルのセル種別は、マクロセル又はスモールセルである。
【００８６】
この場合、依然として図２に示すヘテロジニアスネットワークを例に挙げて、例えば、時間t内にマクロセルへのユーザ装置の変更数がN1であり、マクロセルに対応する重みがW1であり、スモールセルへのユーザ装置の変更数がN2であり、スモールセルに対応する重みがW2であることを仮定する。目的のセルがマクロセルである場合、時間t内のユーザ装置のセル変更数は、N1＋N2×W2／W1に等しい。目的のセルがスモールセルである場合、時間t内のユーザ装置のセル変更数は、N1×W1／W2＋N2に等しい。
【００８７】
明らかに、このステップの前に、ユーザ装置は、ヘテロジニアスネットワークの各セルに対応する重みを取得する必要がある。特に、ユーザ装置は、ヘテロジニアスネットワークの各セルのシステムメッセージを受信してもよい。各セルのシステムメッセージは、セルに対応する重みを伝達する。ユーザ装置は、ヘテロジニアスネットワークの各セルのシステムメッセージに従ってヘテロジニアスネットワークの各セルに対応する重みを取得してもよい。ユーザ装置はまた、ヘテロジニアスネットワークの各セルの専用メッセージを受信してもよい。各セルの専用メッセージは、セルに対応する重みを伝達する。ユーザ装置は、ヘテロジニアスネットワークの各セルの専用メッセージに従ってヘテロジニアスネットワークの各セルに対応する重みを取得してもよい。更に、ユーザ装置は、ヘテロジニアスネットワークの各セルに対応する重み情報を予め格納してもよい。ユーザ装置は、予め格納された重み情報に従ってヘテロジニアスネットワークの各セルに対応する重みを取得してもよい。明らかに、ユーザ装置はまた、他の方法で各セルに対応する重みを取得してもよい。これは本発明では限定されない。
【００８８】
このようなセル変更数を判定する方法は、指定の時間内のセル変更数と、セルのサイズとの双方を考慮するため、ユーザ装置の真の移動状態が正確に判定可能になる。
【００８９】
303.判定されたセル変更数に従ってユーザ装置の移動状態を判定する。
【００９０】
任意選択で、ユーザ装置の移動状態は、指定の時間t1内のセル変更数が第１の閾値n1より大きい高速移動状態と、指定の時間t1内のユーザ装置のセル変更数が第２の閾値n2より小さい低速移動状態と、他の移動状態とを含む。これは本発明で限定されない。
【００９１】
304.判定された移動状態に従ってセル変更を実行する。
【００９２】
特にこのステップでは、セル変更を実行する場合、ユーザ装置は、ユーザ装置の移動状態に従ってユーザ装置の現在の移動状態に対応するスケーリング係数を選択し、セル再選択又はハンドオーバに使用される関係するヒステリシスをスケーリングする。これにより、ユーザ装置のセル再選択速度又はハンドオーバ速度がその移動速度と一致する。ユーザ装置は、スケーリングされた関係するヒステリシスに従ってセル変更を実行する。関係するヒステリシスは、TimeToTrigger、Qhyst、TreselectionEUTRA、TreselectionRAT等を含む。ステップ302及び303では、ユーザ装置の移動状態は、各セルに対応する重みと各セルへのユーザ装置の変更数とに従って正確に判定される。従って、このステップでは、正確なスケーリング係数が判定された移動状態に従って選択され得る。これにより、早いセル変更又は遅いセル変更により生じるサービス中断が効率的に回避される。
【００９３】
本発明の実施例で提供されるヘテロジニアスネットワークにおいてセル変更する方法によれば、ユーザの移動状態は、各セルに対応する重みと各セルへのユーザ装置の変更数とに従って判定されるため、ユーザ装置の移動状態を判定する際に、ユーザ装置のセル変更数と、セルのサイズとの双方が考慮される。このように、ユーザ装置の真の移動状態が正確に反映可能になり、これにより、セル変更がユーザ装置の移動状態に従って実行される場合、早いセル変更又は遅いセル変更により生じるサービス中断が効率的に回避される。
【００９４】
図５は、本発明の実施例に従ってヘテロジニアスネットワークにおいてセル変更する方法の特定の実施例である。この実施例は以下のステップを含む。
【００９５】
401.ユーザ装置は、ヘテロジニアスネットワークにおいて各セルに対応する重みを取得する。ただし、各セルに対応する重みはセルのサイズに正比例する。
【００９６】
402.任意選択で、ユーザ装置は、セル変更の目的のセルの物理セル識別子PCIを取得し、目的のセルのPCIに従って目的のセルのセル種別を判定する。
【００９７】
このステップの前に、ユーザ装置は、セル種別と物理セル識別子との間のマッピング関係を取得する必要がある。この実施例では、任意選択で、各セルは、システムメッセージで１つ以上のPCI間隔をブロードキャストする。各PCI間隔はセル種別に対応し、セル種別はセルのサイズを示す。例えば、スモールセルのPCI間隔は[PCI1,PCI2]であり、マクロセルのPCI間隔は[PCI3,PCI4]である。システムメッセージを通じて、ユーザ装置は、PCI間隔と、PCI間隔に対応するセル種別を取得してもよい。すなわち、セル種別と物理セル識別子との間のマッピング関係を取得することにより、マッピング関係による目的のセルのセル種別と目的のセルのPCIとを判定してもよい。例えば、目的のセルのPCIがスモールセルのPCI間隔にある場合、目的のセルはスモールセルであり、目的のセルのPCIがマクロセルのPCI間隔にある場合、目的のセルはマクロセルである。
【００９８】
明らかに、各セルは、専用メッセージを通じて、PCI間隔と、PCI間隔に対応するセル種別とをユーザ装置に送信してもよい。また、PCI間隔とPCI間隔に対応するセル種別とは、ユーザ装置に予め設定されてもよい。これはこの実施例では限定されない。
【００９９】
403.ユーザ装置は、指定の時間内のヘテロジニアスネットワークの各セルへのユーザ装置の変更数を検出する。
【０１００】
ステップ403、402及び401はいずれか特定の順序に限定されず、同時に又は連続して実行されてもよい点に留意すべきである。
【０１０１】
404.ユーザ装置は、各セルに対応する重みと検出された各種のセルへの変更数と目的のセルのセル種別とに従って、指定の時間内のユーザ装置のセル変更数を判定する。
【０１０２】
例えば、時間t内にマクロセルへのユーザ装置の変更数がN1であり、マクロセルに対応する重みがW1であり、スモールセルへのユーザ装置の変更数がN2であり、スモールセルに対応する重みがW2であることを仮定する。目的のセルがマクロセルである場合、時間t内のユーザ装置のセル変更数は、N1＋N2×W2／W1に等しい。目的のセルがスモールセルである場合、時間t内のユーザ装置のセル変更数は、N1×W1／W2＋N2に等しい。
【０１０３】
405.ユーザ装置は、判定されたセル変更数に従ってユーザ装置の移動状態を判定する。
【０１０４】
406.ユーザ装置は、判定された移動状態に従ってユーザ装置の現在の移動状態に対応するスケーリング係数を選択し、セル変更に使用されるヒステリシスをスケーリングする。
【０１０５】
407.ユーザ装置は、スケーリングされたヒステリシスに従ってセル変更を実行する。
【０１０６】
図６に示すように、本発明の実施例は、ヘテロジニアスネットワークにおいてセル変更する他の方法を提供する。ユーザ装置に基づいて、この方法は以下のステップを含む。
【０１０７】
501.ユーザ装置の移動状態を判定する。
【０１０８】
特にこのステップでは、本発明の前述の実施例のユーザ装置の移動状態を判定する方法が採用されてもよく、従来技術のユーザ装置の移動状態を判定する方法が採用されてもよい。これは本発明で限定されない。
【０１０９】
502.判定された移動状態とセル変更の目的のセルのサイズとに従ってセル変更に使用されるヒステリシスをスケーリングする。
【０１１０】
セル変更を実行する場合、ユーザ装置は、ユーザ装置の移動状態に従ってユーザ装置の現在の移動状態に対応するスケーリング係数を選択し、セル再選択又はハンドオーバに使用される関係するヒステリシスをスケーリングする。これにより、ユーザ装置のセル再選択速度又はハンドオーバ速度がその移動速度と一致する。ユーザ装置は、スケーリングされた関係するヒステリシスに従ってセル変更を実行する。関係するヒステリシスは、TimeToTrigger、Qhyst、TreselectionEUTRA、TreselectionRAT等を含む。
【０１１１】
セル変更の目的のセルのサイズに拘わらず同じヒステリシスが使用される場合、以下の問題が生じる可能性がある。ラージセルに適したヒステリシスは、スモールセルにとって大きすぎる可能性があり、このことは、遅い再選択又はハンドオーバを生じ、更にサービス中断をもたらす。スモールセルに適したヒステリシスは、ラージセルにとって小さすぎる可能性があり、このことは、早い再選択又はハンドオーバを生じ、更に行ったり来たりの再選択又はハンドオーバをもたらす。
【０１１２】
従って、ヘテロジニアスネットワークにおいてユーザ装置の早いセル変更又は遅いセル変更の問題を効率的に回避するために、このステップでは、ユーザ装置は、判定された移動状態とセル変更の目的のセルのサイズとに従ってセル変更に使用されるヒステリシスをスケーリングする。
【０１１３】
任意選択で、本発明の実施例では、ユーザ装置は、それぞれヒステリシスをスケーリングするために２組のスケーリング係数を使用してもよい。２組のスケーリング係数は、それぞれ目的のセル及びユーザ装置の移動状態に対応する。例えば、
第１の組のスケーリング係数：マクロセル--sf3、スモールセル--sf4等
第２の組のスケーリング係数：高速移動状態--sf1、中程度移動状態--sf2等
２組のスケーリング係数は、システムメッセージ又は専用メッセージを通じてネットワークによりユーザ装置に送信されてもよく、ユーザ装置により予め格納されてもよい。
【０１１４】
この場合、このステップにおいて、ユーザ装置は、セル変更の目的のセルのセルサイズに従って第１の組のスケーリング係数の中から第１のスケーリング係数を判定し、判定された移動状態に従って第２の組のスケーリング係数の中から第２のスケーリング係数を判定する。ユーザ装置による第１のスケーリング係数の判定及び第２のスケーリング係数の判定は、いずれか特定の順序に限定されず、同時に又は連続して実行されてもよい。次に、判定された第１のスケーリング係数及び第２のスケーリング係数に従って、セル変更に使用されるヒステリシスをスケーリングする。
【０１１５】
例えば、ユーザ装置の現在の移動状態が高速移動状態であり、目的のセルがマクロセルである場合、スケーリングされたヒステリシス=元のヒステリシス×sf1×sf3である。
【０１１６】
このように、目的のセルのサイズとユーザ装置の移動状態との双方が考慮されるため、スケーリングされたヒステリシスは更に正確になり、このことは、ヘテロジニアスネットワークにおけるユーザ装置の早いセル変更又は遅いセル変更の問題を効率的に回避する。
【０１１７】
任意選択で、本発明の他の実施例では、ユーザ装置の現在のサービングセルは、ユーザ装置の次の再選択又はハンドオーバについて可能な目的のセルのサイズを判定し、可能な目的のセルのサイズに従ってそれぞれの目的のセルに特有のヒステリシスを判定し、ヒステリシスをユーザ装置に送信する。すなわち、ユーザ装置は、現在のサービングセルにより送信されてセル変更に使用されるヒステリシスを受信する。ヒステリシスは、セル変更に使用される目的のセルのサイズに従ってサービングセルにより取得されている。ユーザ装置は、判定された移動状態に従ってスケーリング係数を判定する。スケーリング係数の判定及び現在のサービングセルのヒステリシスの受信は、いずれか特定の順序に限定されず、同時に又は連続して実行されてもよい。次に、ユーザ装置は、判定されたスケーリング係数に従って受信したヒステリシスをスケーリングする。
【０１１８】
同様に、このようにして、目的のセルのサイズとユーザ装置の移動状態との双方が考慮されるため、スケーリングされたヒステリシスは更に正確になり、このことは、ヘテロジニアスネットワークにおけるユーザ装置の早いセル変更又は遅いセル変更の問題を効率的に回避する。
【０１１９】
任意選択で、本発明の他の実施例では、ユーザ装置の現在のサービングセルは、システムメッセージで複数のヒステリシスをブロードキャストする。ここで、それぞれのヒステリシスはセルサイズに対応する。ユーザ装置は、現在のサービングセルによりブロードキャストされた複数のヒステリシスを受信する。ユーザ装置は、次の再選択又はハンドオーバについて可能な目的のセルのサイズを判定し、可能な目的のセルのサイズに従って受信した複数のヒステリシスの中から可能な目的のセルに対応するヒステリシスを判定する。ユーザ装置は、判定された移動状態に従ってスケーリング係数を判定する。スケーリング係数の判定及び目的のセルのヒステリシスの判定は、いずれか特定の順序に限定されず、同時に又は連続して実行されてもよい。次に、ユーザ装置は、判定されたスケーリング係数に従って判定されたヒステリシスをスケーリングする。
【０１２０】
同様に、このようにして、目的のセルのサイズとユーザ装置の移動状態との双方が考慮されるため、スケーリングされたヒステリシスは更に正確になり、このことは、ヘテロジニアスネットワークにおけるユーザ装置の早いセル変更又は遅いセル変更の問題を効率的に回避する。
【０１２１】
503.スケーリングされたヒステリシスに従ってセル変更を実行する。
【０１２２】
本発明の実施例で提供されるヘテロジニアスネットワークにおいてセル変更する方法によれば、セル変更に使用されるヒステリシスは、ユーザ装置の移動状態とセル変更の目的のセルのサイズとに従ってスケーリングされる。従って、スケーリングされたヒステリシスがユーザ装置の移動状態と目的のセルのサイズとに適応されることが可能になり、これにより、ユーザ装置がセル変更を実行する場合、早いセル変更又は遅いセル変更により生じるサービス中断が効率的に回避される。
【０１２３】
方法に対応して、本発明の実施例は、ユーザ装置を更に提供する。図７に示すように、ユーザ装置は、ユーザ装置の移動状態を判定するように構成された第１の判定ユニット10と、第１の判定ユニット10により判定された移動状態に従って周波数の優先順位を判定するように構成された第２の判定ユニット11であり、移動状態が指定の時間内のセル変更数が第１の閾値を超える高速移動状態である場合、ヘテロジニアスネットワークで広いカバレッジを備えたセルにより使用される周波数の優先度は、小さいカバレッジを備えたセルにより使用される周波数の優先度より高く、移動状態が指定の時間内のセル変更数が第２の閾値より低い低速移動状態である場合、ヘテロジニアスネットワークで広いカバレッジを備えたセルにより使用される周波数の優先度は、小さいカバレッジを備えたセルにより使用される周波数の優先度より低い第２の判定ユニット11と、第２の判定ユニット11により判定された周波数の優先順位に従って周波数測定を実行するように構成された測定ユニット12と、第２の判定ユニット11により判定された周波数の優先順位と測定ユニット12により実行された周波数測定の結果とに従ってセル変更を実行するように構成された処理ユニット13とを含む。
【０１２４】
セル変更を実行するときに、本発明の実施例で提供されるユーザ装置は、ユーザ装置の移動状態に従って周波数の優先順位を選択する。ユーザ装置が高速移動状態にある場合、ユーザ装置は、広いカバレッジを備えたセルに優先して変更するため、ユーザ装置が頻繁に移動する場合、ユーザ装置はセルのカバレッジを容易には離れない。このことは、ヘテロジニアスネットワークにおけるセル変更数を効率的に低減し、ユーザ装置の電力消費、ネットワークのシグナリング負荷及びデータ伝送遅延を効率的に低減し、ユーザ経験を向上させる。ユーザ装置が低速移動状態にある場合、ユーザ装置は、小さいカバレッジを備えたセルに優先して変更する。このことは、広いカバレッジを備えたセルの負荷を効率的に軽減し、ヘテロジニアスネットワークの性能を効率的に向上させる。
【０１２５】
更に、第１の判定ユニット10により判定された移動状態の精度を確保するため、本発明の実施例では、図８に示すように、第１の判定ユニット10は、指定の時間内のヘテロジニアスネットワークの各セルへのユーザ装置の変更数を検出するように構成された検出モジュール10と、各セルに対応する重みと検出された各セルへの変更数とに従って指定の時間内のユーザ装置のセル変更数を判定するように構成された変更数判定モジュール102であり、各セルに対応する重みは、セルのサイズに正比例する変更数判定モジュール102と、変更数判定モジュール102により判定されたセル変更数に従ってユーザ装置の移動状態を判定するように構成された状態判定モジュール103とを含む。
【０１２６】
任意選択で、変更数判定モジュール102は、各セルに対応する重みと検出モジュールにより検出された各セルへの変更数と目的のセルのセル種別とに従って、指定の時間内のユーザ装置のセル変更数を判定するように特に構成されてもよい。
【０１２７】
更に、第１の判定ユニット10により判定された移動状態の精度を確保するため、本発明の他の実施例では、図９に示すように、第１の判定ユニット10は、セル変更の目的のセルの物理セル識別子を取得するように構成された取得モジュール104と、取得モジュール104により取得された目的のセルの物理セル識別子に従って目的のセルのセル種別を判定するように構成された種別判定モジュール105とを更に含む。
【０１２８】
この場合、変更数判定モジュール102は、各セルに対応する重みと検出モジュール101により検出された各セルへの変更数と種別判定モジュール105により判定された目的のセルのセル種別とに従って、指定の時間内のユーザ装置のセル変更数を判定するように特に構成される。
【０１２９】
更に、図１０に示すように、ユーザ装置は、第１の判定ユニットがユーザ装置の移動状態を判定する前に、ヘテロジニアスネットワークの各セルに対応する重みを取得するように構成された取得ユニット14を更に含む。
【０１３０】
任意選択で、取得ユニット14は、ヘテロジニアスネットワークの各セルのシステムメッセージを受信するように特に構成されてもよい。各セルのシステムメッセージは、セルに対応する重みを伝達する。取得ユニット14は、ヘテロジニアスネットワークの各セルのシステムメッセージに従ってヘテロジニアスネットワークの各セルに対応する重みを取得するように特に構成されてもよい。
【０１３１】
任意選択で、取得ユニット14は、ヘテロジニアスネットワークの各セルの専用メッセージを受信するように特に構成されてもよい。各セルの専用メッセージは、セルに対応する重みを伝達する。取得ユニット14は、ヘテロジニアスネットワークの各セルの専用メッセージに従ってヘテロジニアスネットワークの各セルに対応する重みを取得するように特に構成されてもよい。
【０１３２】
任意選択で、取得ユニット14は、予め格納された重み情報に従ってヘテロジニアスネットワークの各セルに対応する重みを取得するように特に構成されてもよい。
【０１３３】
更に、本発明の実施例では、取得ユニット14は、それぞれの移動状態に対応する周波数の優先順位を取得するように構成され、第２の判定ユニット11は、第１の判定ユニット10により判定された移動状態と、取得ユニット14により取得されたそれぞれの移動状態に対応する周波数の優先順位とに従って周波数の優先順位を判定する。
【０１３４】
任意選択で、取得ユニット14は、それぞれの移動状態に対応する周波数の優先順位情報を伝達するシステムメッセージを受信し、システムメッセージに従ってそれぞれの移動状態に対応する周波数の優先順位を取得するように特に構成されてもよい。
【０１３５】
任意選択で、取得ユニット14は、それぞれの移動状態に対応する周波数の優先順位情報を伝達する専用メッセージを受信し、専用メッセージに従ってそれぞれの移動状態に対応する周波数の優先順位を取得するように特に構成されてもよい。
【０１３６】
任意選択で、取得ユニット14は、予め格納された周波数の優先順位情報に従ってそれぞれの移動状態に対応する周波数の優先順位を取得するように特に構成されてもよい。
【０１３７】
好ましくは、周波数測定の数を低減し、周波数測定の効率を改善し、ユーザ装置の電力消費を効率的に低減するために、測定ユニット12は、第２の判定ユニット11により判定された周波数の優先順位と、第１の判定ユニット12により判定されたユーザ装置の移動状態とに従って周波数測定を実行するように特に構成されてもよい。
【０１３８】
任意選択で、測定ユニット12は、移動状態が指定の時間内のセル変更数が第１の閾値を超える高速移動状態であるときに、現在のサービングセルの信号強度又は信号品質が第１の境界より大きい場合、第１の指定の時間の間隔でヘテロジニアスネットワークにおいて少なくとも１つの高優先度の周波数を測定し、現在のサービングセルの信号強度又は信号品質が第１の境界より小さい場合、第１の指定の時間の間隔でヘテロジニアスネットワークにおいて全ての周波数を測定するように特に構成されてもよい。
【０１３９】
任意選択で、測定ユニット12は、移動状態が指定の時間内のセル変更数が第２の閾値より小さい低速移動状態であるときに、現在のサービングセルの信号強度又は信号品質が第１の境界より大きい場合、第１の指定の時間の間隔でヘテロジニアスネットワークにおいて少なくとも１つの高優先度の周波数を測定し、第２の指定の時間内に少なくとも１つの高優先度の周波数のセルが見つからなかった場合、第３の指定の時間の間隔で少なくとも１つの高優先度の周波数を測定し、ただし、第３の指定の時間は第１の指定の時間より大きく、少なくとも１つの高優先度の周波数の少なくとも１つのセルが見つかった後に、第１の指定の時間の間隔で少なくとも１つの高優先度の周波数を測定し、現在のサービングセルの信号強度又は信号品質が第１の境界より小さい場合、第１の指定の時間の間隔でヘテロジニアスネットワークにおいて全ての周波数を測定するように特に構成されてもよい。
【０１４０】
更に、ヘテロジニアスネットワークにおいてユーザ装置の早いセル変更又は遅いセル変更の問題を効率的に回避するために、本発明の実施例では、図１１に示すように、処理ユニット13は、セル変更の目的のセルのセルサイズに従って第１のスケーリング係数を判定するように構成された第１の判定モジュール131と、判定された移動状態に従って第２のスケーリング係数を判定するように構成された第２の判定モジュール132と、判定された第１のスケーリング係数と第２のスケーリング係数とに従ってセル変更に使用されるヒステリシスをスケーリングするように構成されたスケーリングモジュール133と、周波数の優先順位と周波数測定の結果とスケーリングされたヒステリシスとに従ってセル変更を実行するように構成された処理モジュール134とを含む。
【０１４１】
更に、ヘテロジニアスネットワークにおいてユーザ装置の早いセル変更又は遅いセル変更の問題を効率的に回避するために、本発明の実施例では、図１２に示すように、処理ユニット13は、現在のサービングセルからセル変更に使用されるヒステリシスを受信するように構成された受信モジュール135であり、ヒステリシスは、セル変更の目的のセルのサイズに従ってサービングセルにより取得される受信モジュール135と、判定された移動状態に従ってスケーリング係数を判定するように構成された判定モジュール136と、判定されたスケーリング係数に従って受信したヒステリシスをスケーリングするように構成されたスケーリングモジュール137と、周波数の優先順位と周波数測定の結果とスケーリングされたヒステリシスとに従ってセル変更を実行するように構成された処理モジュール138とを含む。
【０１４２】
方法に対応して、本発明の実施例は、ユーザ装置を更に提供する。図１３に示すように、ユーザ装置は、指定の時間内のヘテロジニアスネットワークの各セルへのユーザ装置の変更数を検出するように構成された検出ユニット20と、各セルに対応する重みと検出ユニット20により検出された各セルへの変更数とに従って、指定の時間内のユーザ装置のセル変更数を判定するように構成された第１の判定ユニット21であり、各セルに対応する重みは、セルのサイズに正比例する第１の判定ユニット21と、判定されたセル変更数に従ってユーザ装置の移動状態を判定するように構成された第２の判定ユニット22と、判定された移動状態に従ってセル変更を実行するように構成された処理ユニット23とを含む。
【０１４３】
本発明の実施例で提供されるユーザ装置は、各セルに対応する重みと各セルへのユーザ装置の変更数とに従ってユーザ装置の移動状態を判定するため、ユーザ装置の移動状態を判定する際に、ユーザ装置のセル変更数と、目的のセルのサイズとの双方が考慮される。このように、ユーザ装置の真の移動状態が正確に反映可能になり、これにより、セル変更がユーザ装置の移動状態に従って実行される場合、早いセル変更又は遅いセル変更により生じるサービス中断が効率的に回避される。
【０１４４】
任意選択で、第１の判定ユニット21は、各セルに対応する重みと検出された各セルへの変更数と目的のセルのセル種別とに従って、指定の時間内のユーザ装置のセル変更数を判定するように特に構成されてもよい。
【０１４５】
本発明の実施例では、図１４に示すように、第１の判定ユニット21は、セル変更の目的のセルの物理セル識別子を取得するように構成された取得モジュール210と、目的のセルの物理セル識別子に従って目的のセルのセル種別を判定するように構成された種別判定モジュール211と、各セルに対応する重みと検出ユニット20により検出された各セルへの変更数と種別判定モジュール211により判定された目的のセルのセル種別とに従って、指定の時間内のユーザ装置のセル変更数を判定するように構成された変更数判定モジュール212を特に含む。
【０１４６】
更に、本発明の実施例では、図１５に示すように、ユーザ装置は、ヘテロジニアスネットワークの各セルに対応する重みを取得するように構成された取得ユニット24を更に含む。
【０１４７】
任意選択で、取得ユニット24は、ヘテロジニアスネットワークの各セルのシステムメッセージを受信するように特に構成されてもよい。各セルのシステムメッセージは、セルに対応する重みを伝達する。取得ユニット14は、ヘテロジニアスネットワークの各セルのシステムメッセージに従ってヘテロジニアスネットワークの各セルに対応する重みを取得するように特に構成されてもよい。
【０１４８】
任意選択で、取得ユニット24は、ヘテロジニアスネットワークの各セルの専用メッセージを受信するように特に構成されてもよい。各セルの専用メッセージは、セルに対応する重みを伝達する。取得ユニット24は、ヘテロジニアスネットワークの各セルの専用メッセージに従ってヘテロジニアスネットワークの各セルに対応する重みを取得するように特に構成されてもよい。
【０１４９】
任意選択で、取得ユニット24は、予め格納された重み情報に従ってヘテロジニアスネットワークの各セルに対応する重みを取得するように特に構成されてもよい。
【０１５０】
方法に対応して、本発明の実施例は、ユーザ装置を提供する。図１６に示すように、ユーザ装置は、ユーザ装置の移動状態を判定するように構成された判定ユニット30と、判定ユニット30により判定された移動状態とセル変更の目的のセルのサイズとに従ってセル変更に使用されるヒステリシスをスケーリングするように構成されたスケーリングユニット31と、スケーリングユニット31によりスケーリングされたヒステリシスに従ってセル変更を実行するように構成された処理ユニット32とを含む。
【０１５１】
本発明の実施例で提供されるユーザ装置によれば、セル変更に使用されるヒステリシスは、ユーザ装置の移動状態とセル変更の目的のセルのサイズとに従ってスケーリングされる。従って、スケーリングされたヒステリシスがユーザ装置の移動状態と目的のセルのサイズとに適応されることが可能になり、これにより、ユーザ装置がセル変更を実行する場合、早いセル変更又は遅いセル変更により生じるサービス中断が効率的に回避される。
【０１５２】
任意選択で、本発明の実施例では、図１７に示すように、スケーリングユニット31は、セル変更の目的のセルのサイズに従って第１のスケーリング係数を判定するように構成された第１の判定モジュール311と、判定ユニット30により判定された移動状態に従って第２のスケーリング係数を判定するように構成された第２の判定モジュール312と、第１の判定モジュール311により判定された第１のスケーリング係数と第２の判定モジュール312により判定された第２のスケーリング係数とに従ってセル変更に使用されるヒステリシスをスケーリングするように構成されたスケーリングモジュール313とを特に含む。
【０１５３】
任意選択で、本発明の実施例では、図１８に示すように、スケーリングユニット31は、現在のサービングセルからセル変更に使用されるヒステリシスを受信するように構成された受信モジュール314であり、ヒステリシスは、セル変更の目的のセルのサイズに従ってサービングセルにより取得される受信モジュール314と、判定ユニット30により判定された移動状態に従ってスケーリング係数を判定するように構成された判定モジュール315と、判定モジュール315により判定されたスケーリング係数に従って受信モジュールにより受信されたヒステリシスをスケーリングするように構成されたスケーリングモジュール316とを特に含む。
【０１５４】
任意選択で、本発明の実施例では、図１９に示すように、スケーリングユニット31は、現在のサービングセルにより送信された少なくとも１つのヒステリシスを受信するように構成された受信モジュール317であり、各ヒステリシスはセルサイズに対応する受信モジュール317と、セル変更の目的のセルのサイズに従って受信モジュール317により受信されたヒステリシスのうち目的のセルに対応するヒステリシスを判定するように構成された第１の判定モジュール318と、判定ユニット30により判定された移動状態に従ってスケーリング係数を判定するように構成された第２の判定モジュール319と、第２の判定モジュール319により判定されたスケーリング係数に従って第１の判定モジュール318により判定されたヒステリシスをスケーリングするように構成されたスケーリングモジュール320とを特に含む。
【０１５５】
当業者は、前述の方法の実施例の処理の全部又は一部が、関係するソフトウェアに命令するコンピュータプログラムにより実施されてもよいことを認識する。プログラムは、コンピュータ可読記憶媒体に格納されてもよい。プログラムが実行する場合、前述の方法の実施例のステップが実行される。記憶媒体は、ROM、RAM、磁気ディスク、光ディスク等のようなプログラムコードを格納可能ないずれかの媒体を含む。
【０１５６】
前述の説明は、本発明の単に特定の実施例であり、本発明の保護範囲を限定することを意図するものではない。本発明において開示された技術的範囲内で当業者により容易に理解される如何なる変更又は置換も、本発明の保護範囲内に入るものとする。従って、本発明の保護範囲は特許請求の範囲の保護範囲に従う。
【０１５７】
この出願は、2011年6月17日に中国専利局に“METHOD  AND  APPARATUS  FOR  CELL  CHANGING  IN  HETEROGENEOUS  NETWORK”という題で出願された中国特許出願第201110164411.0号の優先権を主張し、この全内容を援用する。
【図１】
0005806397.tif 000002
【図２】
0005806397.tif 000003
【図３】
0005806397.tif 000004
【図４】
0005806397.tif 000005
【図５】
0005806397.tif 000006
【図６】
0005806397.tif 000007
【図７】
0005806397.tif 000008
【図８】
0005806397.tif 000009
【図９】
0005806397.tif 000010
【図１０】
0005806397.tif 000011
【図１１】
0005806397.tif 000012
【図１２】
0005806397.tif 000013
【図１３】
0005806397.tif 000014
【図１４】
0005806397.tif 000015
【図１５】
0005806397.tif 000016
【図１６】
0005806397.tif 000017
【図１７】
0005806397.tif 000018
【図１８】
0005806397.tif 000019
【図１９】
0005806397.tif 000020